(57)【要約】【課題】点眼時に視認可能な鏡面の面積を十分に確保し、点眼の確実性を向上させることが可能な目薬容器を提供する。【解決手段】本発明の目薬容器１は、内容液を収容する収容空間に連通する筒状の口部５、及び該口部５の下端から外側に延びる肩部１３を有する容器本体３と、内容液の注出口２５を有し、口部５に装着される筒状の中栓７と、を備え、容器本体３の口部５の周囲に、少なくとも肩部１３に沿って延在し、点眼時に視認可能な鏡面部Ｍを有することを特徴とする。【選択図】図１
2015126788.tif 000002
【特許請求の範囲】
【請求項１】
内容液を収容する収容空間に連通する筒状の口部、及び該口部の下端から外側に延びる肩部を有する容器本体と、
内容液の注出口を有し、前記口部に装着される筒状の中栓と、を備え、
前記容器本体の口部の周囲に、少なくとも前記肩部に沿って延在し、点眼時に視認可能な鏡面部を有することを特徴とする目薬容器。
【請求項２】
前記鏡面部が、前記口部の外周面に対して回動可能に取付けられた回動体に設けられてなる、請求項１に記載の目薬容器。
【請求項３】
前記鏡面部が、前記肩部に沿う上面部と、該上面部から折り曲げられて前記容器本体の側面に沿う側面部とを有するラベルに設けられ、
該ラベルは、前記側面部が、前記上面部と同一平面となるよう変形可能である、請求項１に記載の目薬容器。
【発明の詳細な説明】
【技術分野】
【０００１】
本発明は、目薬を正確に点眼するための目薬容器に関する。
【背景技術】
【０００２】
従来、目薬を点眼するために用いる目薬容器として、目の上方で容器本体を倒立姿勢で保持して、先端に設けられた注出口から目薬を滴下するものが知られている。このような目薬容器は、目薬を正確に点眼することが難しく、目に滴下できなかった目薬が無駄になっていた。
【０００３】
このような問題を解決することを目的として、例えば特許文献１には、ノズルの付け根に鏡を設けた目薬容器が開示されている。この目薬容器は、点眼しようとノズルをみると、注す方の目が鏡に映っているのでノズルの位置がわかり、点眼の確実性を高めるとともに、目薬の液が周囲に触れて、雑菌が目に入ることを防止している。
【先行技術文献】
【特許文献】
【０００４】
【特許文献１】特開２０１１−１５２３８０号公報
【発明の概要】
【発明が解決しようとする課題】
【０００５】
しかしながら、上記の目薬容器においては、キャップを固定するためのねじ部を有する筒状の口部の上面のみに鏡が設けられており、点眼時に視認可能な鏡面の面積が小さいため、視認性が十分ではなく、点眼の確実性には改善の余地があった。
【０００６】
本発明は、このような問題点を解決することを課題とするものであり、点眼時に視認可能な鏡面の面積を十分に確保し、点眼の確実性を向上させることが可能な目薬容器を提供することを目的とする。
【課題を解決するための手段】
【０００７】
上記課題を解決するため、本発明に係る目薬容器は、内容液を収容する収容空間に連通する筒状の口部、及び該口部の下端から外側に延びる肩部を有する容器本体と、
内容液の注出口を有し、前記口部に装着される筒状の中栓と、を備え、
前記容器本体の口部の周囲に、少なくとも前記肩部に沿って延在し、点眼時に視認可能な鏡面部を有することを特徴とする。
【０００８】
また、本発明に係る目薬容器にあっては、前記鏡面部が、前記口部の外周面に対して回動可能に取付けられた回動体に設けられてなることが好ましい。
【０００９】
また、本発明に係る目薬容器にあっては、前記鏡面部が、前記肩部に沿う上面部と、該上面部から折り曲げられて前記容器本体の側面に沿う側面部とを有するラベルに設けられ、
該ラベルは、前記側面部が、前記上面部と同一平面となるよう変形可能であることが好ましい。
【発明の効果】
【００１０】
本発明によれば、点眼時に視認可能な鏡面の面積を十分に確保し、点眼の確実性を向上させることが可能な目薬容器を提供することができる。
【図面の簡単な説明】
【００１１】
【図１】本発明の一実施形態に係る目薬容器を部分的に断面で示した正面図である。
【図２】（ａ）は、図１の目薬容器からキャップを取り外した状態を示す上面図であり、（ｂ）は、図２（ａ）の状態から回動体を９０°回転させた状態を示す上面図である。
【図３】図１の目薬容器を用いて点眼する際の様子を表す図である。
【図４】（ａ）は、本発明の他の実施形態に係る目薬容器を示した斜視図であり、（ｂ）は図４（ａ）の目薬容器の使用状態を示す斜視図である。
【発明を実施するための形態】
【００１２】
以下に、図面を参照して本発明の実施形態について具体的に説明する。図１に示すように、本実施形態に係る目薬容器１は、目薬（内容液）を収容する収容空間を形成する容器本体３と、当該収容空間に連通する口部５の上端に装着される筒状の中栓７と、中栓７を覆うように口部５に着脱可能に装着されるキャップ９と、容器本体３に回動可能に取付けられた回動体１１と、を備える。
なお、図１は、容器本体３の口部５にキャップ９を装着した非使用状態の目薬容器１の正面図である。
【００１３】
容器本体３は、口部５の下端から外側に延びる肩部１３、肩部１３の外縁から垂下する筒状の胴部１５、及び胴部１５の下端を塞ぐ底部１７で構成される。口部５の外周面には、外側に向けて突出する環状の上側嵌合凸部１９が設けられ、上側嵌合凸部１９の下方には、上側嵌合凸部１９よりも大径である環状の下側嵌合凸部２１が形成されている。
【００１４】
口部５の上端に設けられた中栓７は、先端に注出口２５を有する注出筒（ノズル）２６と、注出筒２６の外周面の中間部分から外側に突出するフランジ２７とで構成されている。フランジ２７は口部５の上端に載置され、注出筒２６のフランジ２７よりも下側の部分が口部５の内側に挿入されて嵌合している。本実施形態において、注出口２５の中心軸線（以下、単に「軸線」という。）Cは、注出筒２６、口部５及び胴部１５の中心軸線と一致している。
【００１５】
回動体１１は、口部５の外側に配置される円筒状の連結筒２９と、連結筒２９の上端から外側に拡がり、肩部１３に沿って延びる上壁３１と、上壁３１の外縁から傾斜部３３を介して下方に延びる側壁３５で構成されている。上壁３１の上面には、鏡面部Ｍが形成されている。鏡面部Ｍは、例えば、蒸着、タックラベル、ホットスタンプ等により鏡面加工が施された構成とすることができる。本実施形態において、鏡面部Ｍを有する上壁３１の上面は、軸線Ｃに対して垂直となっている。
【００１６】
連結筒２９の内周面には、環状凹部３７が形成されている。この環状凹部３７が下側嵌合凸部２１に嵌合することで、回動体１１は容器本体３に対する軸線Ｃ方向の移動を制限される。また、環状凹部３７の上方には、軸線Ｃ周りの回転を抑制する係合凸部３９が形成されている。本実施形態において、係合凸部３９は、連結筒２９の内周面における対向する２箇所に形成されている。係合凸部３９は、口部５の外周面に設けられた一対の保持凸部４０の間に挟まれて、回動体１１の、容器本体３に対する軸線Ｃ周りの意図しない回転を抑制する。なお、図２（ａ）、（ｂ）に示すように、本実施形態において、一対の保持凸部４０は、口部５の外周面に、周方向に均等に４箇所形成されている。このような構成とすることで、容器本体３に対して回動体１１を９０°回転させる毎に、係合凸部３９が一対の保持凸部４０の間に入り込み、回動体１１の回転を抑制する。なお、回動体１１は、容器本体３に対して任意の回転角度で保持することが可能である。
【００１７】
キャップ９は、天壁４１の外縁から垂下する側壁４３と、側壁４３の内側で天壁４１から垂下する嵌合筒部４５と、嵌合筒部４５の内側で天壁４１から垂下し、中栓７の注出口２５を封止する突起４７とで構成されている。嵌合筒部４５の内周面には、上側嵌合凸部１９と嵌合する嵌合凹部２０が形成されている。キャップ９は、容器本体３の口部５に対して上方から押し込むことで装着され、口部５から引き抜くことで取り外すことができる。
【００１８】
図２（ａ）は、図１の目薬容器１からキャップ９を取り外した状態の上面図である。鏡面部Ｍは、容器本体３の肩部を覆うように配置されている。回動体１１は、容器本体３に対して、軸線Ｃの周りで何れの方向にも回転させることが可能である。図２（ａ）の状態から、９０°回転させた状態を図２（ｂ）に示す。
【００１９】
本実施形態の目薬容器１を使用する場合には、図１に示す非使用状態からキャップ９を取り外した後、容器本体３に対して回動体１１を例えば９０°回転させ、胴部１５を把持して、図３に示すように容器本体３を倒立姿勢で目の上方に配置し、胴部１５を押圧して目薬を注出口２５から滴下させる。このとき、鏡面部Ｍには、点眼しようとする目と、注出口２５が形成された注出筒２６とが映り、目と注出口２５の位置を同時に確認することができる。
【００２０】
以上のように、本実施形態の目薬容器１によれば、面積の大きな鏡面部Ｍによって、点眼しようとする目と注出口２５の位置を、同時に、容易に確認しながら点眼することができ、点眼の確実性を向上させることができる。
【００２１】
また、本実施形態の目薬容器１にあっては、容器本体３に対する回動体１１の角度を、任意の角度に変更して点眼することができるので、点眼しようとする目と注出筒２６とを視認し易いように回動体１１の角度を適宜調節して、さらに点眼の確実性を向上させることができる。
【００２２】
以下、図４を参照しつつ、本発明の他の実施形態について説明する。なお、先の実施形態と同一又は対応する構成については、同一の符号を用いて説明する。
【００２３】
図４に示す目薬容器１００は、容器本体３、中栓７、及びキャップ（図示しない）を備える。容器本体３には、鏡面加工を施した鏡面部Ｍを有するラベル５１が装着され、回動体を構成している。図４（ａ）に示す目薬容器１００において、ラベル５１は、容器本体３の口部５の周囲で、肩部１３の上面を覆う上面部５１ａと、上面部５１ａから、容器本体３の正面側及び背面側にそれぞれ折り曲げて配置された側面部５１ｂとを有する。
【００２４】
目薬容器１００を使用する際には、図４（ｂ）に示すように、ラベル５１の側面部５１ｂを、端部から持ち上げて、上面部５１ａと側面部５１ｂが同一平面状となるように開くように変形させる。このようにラベル５１を変形させることで、点眼時に視認可能な鏡面部Ｍの面積を拡大することができる。これにより、大きな鏡面部Ｍに映る自分の目と注出筒２６の位置とを同時に確認することが容易となり、点眼の確実性を向上させることができる。
【００２５】
なお、ラベル５１は、容器本体３に対して任意の方法で装着することができるが、例えば、接着剤を用いて接着することができる。この場合、側面部５１ｂは、上面部５１ａよりも接着力の弱い接着剤を使用する、又は接着面積を小さくする等により、容易に剥がせるように接着することが好ましい。なお、本実施形態の目薬容器１００においては、ラベル５１の側面部５１ｂを持ち上げて、図４（ｂ）のように開いた状態で、さらにラベル５１を容器本体３に対して回転可能に構成することも可能である。この場合には、例えば、口部５の外周面に回動可能に嵌合させた回動部材を設け、当該回動部材に対してラベル５１を装着する。なお、本実施形態においてラベル５１の形状は、上面部５１ａから、正面側と背面側の両側に折り曲げた形状としたが、いずれか一方側のみに折り曲げた形状とすることも可能である。
【００２６】
以上、図示例に基づき説明したが、本発明は上述の実施形態に限定されるものでなく、特許請求の範囲の記載範囲内で適宜変更することができるものであり、例えば、キャップ９と容器本体３の口部５との係合をねじ係合とすることも可能である。
【符号の説明】
【００２７】
１、１００    目薬容器
３    容器本体
５    口部
７    中栓
９    キャップ
１１  回動体
１３  肩部
１５  胴部
１７  底部
１９  上側嵌合凸部
２０  嵌合凹部
２１  下側嵌合凸部
２５  注出口
２６  注出筒
２７  フランジ
２９  連結筒
３１  上壁
３３  傾斜部
３５  側壁
３７  環状凹部
３９  係合凸部
４１  天壁
４３  側壁
４５  嵌合筒部
４７  突起
５１  ラベル
５１ａ  上面部
５１ｂ  側面部
Ｍ  鏡面部
【図１】
2015126788.tif 000003
【図２】
2015126788.tif 000004
【図３】
2015126788.tif 000005
【図４】
2015126788.tif 000006